(57)【要約】【課題】取り扱いが容易で清潔である、増強された転写の品質及び耐久性を有する複写シートを提供する。【解決手段】組み込まれた溶剤、特にマイクロカプセル化された溶剤（S）を有する第一層（1）と、少なくとも一つの発色剤（3）を含有している第二層（2）とを含む複写シート（CB）であって、外的な作用又は効果により、該第一層（1）の溶剤（S）が該第二層（2）の外的な作用又は効果が印加された位置に浸透し、それにより、第二層の少なくとも一つの発色剤（3）が該溶剤（S）によって少なくとも部分的に放出され得る、複写シート（CB）。好ましい態様において、第一層（1）は、付加的な発色剤（4）、特にロイコ染料を含む。【選択図】図１
2005231369.tif 000002
【特許請求の範囲】
【請求項１】
組み込まれた溶剤、特にマイクロカプセル化された溶剤（S）と、該溶剤（S）に可溶性の少なくとも一つの特にマイクロカプセル化された発色剤（4）を有する第一層（1）、および
少なくとも一つの発色剤（3）を含有している第二層（2）
を含む複写シート（CB）であって、
外的な作用又は効果、好ましくは圧力により、該第一層（1）の溶剤（S）が該第二層（2）の外的な作用又は効果が印加された位置に浸透し、それにより、第二層の少なくとも一つの発色剤（3）が該溶剤（S）によって少なくとも部分的に放出され得るよう配置された、複写シート（CB）。
【請求項２】
第一層（1）の付加的な発色剤（4）と溶剤（S）が共マイクロカプセル化されている、請求項1記載の複写シート（CB）。
【請求項３】
感圧性である、請求項1または2に記載の複写シート（CB）。
【請求項４】
第二層（2）が、印刷されたインクを含む、請求項1〜3のいずれか一項記載の複写シート（CB）。
【請求項５】
インクが求核性である、請求項4記載の複写シート（CB）。
【請求項６】
印刷されたインクがカーボン染料を含む、請求項4または5に記載の複写シート（CB）。
【請求項７】
第一層（1）の少なくとも一つの発色剤（4）がロイコ染料である、請求項1〜6のいずれか一項記載の複写シート（CB）。
【請求項８】
第一層（1）の溶剤（S）が、エチルジフェニルメタン、ベンジルキシレン、アルキルビフェニル系、ジアルキルフタレート系、アルキル化ナフタレン系、部分的に水素化されたテルフェニル系、高沸点の直鎖型又は分岐型の炭化水素、高分子量エステル、高分子量の分岐型又は直鎖型のアルコール、及びそれらの混合物からなる群より選択される、請求項1〜7のいずれか一項記載の複写シート（CB）。
【請求項９】
第二層（2）が複写シート（CB）の異なる部分に異なる発色剤（3）を含む、請求項1〜8のいずれか一項記載の複写シート（CB）。
【請求項１０】
第一層（1）の少なくとも一つの発色剤（4）及び／又は第二層（2）の発色剤（3）が、特に酸性の顕色剤（5）との接触により発色するよう選択される、請求項1〜9のいずれか一項記載の複写シート（CB）。
【請求項１１】
顕色剤（5）が、酸性粘土、フェノール樹脂のような酸性樹脂もしくはサリチル酸亜鉛顕色剤のようなサリチル酸系顕色剤、ならびにそれらの誘導体及び塩及び混合物からなる群より選択される、請求項10記載の複写シート（CB）。
【請求項１２】
特に請求項1〜11のいずれか一項記載の複写シート（CB）を作出するか又はその複写品質を増強する方法であって、以下の工程を含む方法：
組み込まれた溶剤、特にマイクロカプセル化された溶剤（S）と、該溶剤（S）に可溶性の少なくとも一つの特にマイクロカプセル化された発色剤（4）を有する第一層（1）が少なくとも部分的に供給された、裏打ち材料（6）を提供する工程；および
該第一層（1）の該溶剤（S）によって少なくとも部分的に放出され得る少なくとも一つの発色剤（3）を含む第二層（2）を、該第一層（1）の上に少なくとも部分的に加える工程。
【請求項１３】
発色剤（4）と溶剤（S）が共マイクロカプセル化されている、請求項12記載の方法。
【請求項１４】
第二層（2）が、印刷工程、特にオフセット印刷工程で適用される、請求項12または13に記載の方法。
【請求項１５】
第二層（2）が、相互に分離された二つ以上の異なる発色剤（3）を含むよう適用される、請求項12〜14のいずれか一項記載の方法。
【請求項１６】
特に請求項1〜11のいずれか一項記載の複写シート（CB）の製造するための部材のキットであって、以下を含むキット：
組み込まれた溶剤、特にマイクロカプセル化された溶剤（S）と、該溶剤（S）に可溶性の少なくとも一つの特にマイクロカプセル化された発色剤（4）を含む、裏打ち層（6）の上に第一層（1）を加えるための、別々の又は予め混合された成分；および
第一層（1）に組み込まれた溶剤（S）によって少なくとも部分的に放出され得る少なくとも一つの発色剤（3）を含有している、該第一層（1）の上に第二層（2）を加えるための、別々の又は予め混合された成分。
【請求項１７】
請求項1〜11のいずれか一項記載の少なくとも一つの複写シート（CB）と、少なくとも一つの受容シート（CF）とを含む複写キットであって、該受容シート（CF）が、第一層（1）の少なくとも一つの発色剤（4）及び／又は第二層（2）の発色剤（3）の受容シート（CF）への転移により色を発生させる特に酸性の顕色剤（5）を含む、複写キット。
【発明の詳細な説明】
【技術分野】
【０００１】
本発明は、特に感圧複写シートの分野に関するものであり、そのような複写シートの製造に有用なコーティングに関する。
【背景技術】
【０００２】
伝統的に、感圧複写シートは、シートの裏に適用されたカーボン・ワックス・コーティングに基づいていた。そのようなシートの主な欠点とは、カーボン・ワックスが、望ましくない剥離に敏感であるという点であり、これは比較的汚い使用の特徴をもたらす。さらに、転移したカーボンは、消去可能であり、比較的容易にこすり落とされ得、かつ／又は白化する。
【０００３】
さらに、感圧性かつ／又は感熱性のカーボンレス複写シートが、現在、当技術分野において既知である。これらの系は、（CBと呼ばれることが多い）複写シートと、複写シートとは別であるが連結されている場合もある（CFと呼ばれることが多い）受容シートとを含む。複写シートは、裏側に発色剤、例えばロイコ染料がコーティングされている。受容シートは、複写シートのコーティングする側に面する側に顕色剤がコーティングされている。発色剤及び／又は顕色剤は、タイプライター・ヘッド又は鉛筆により印加されるような圧力の下でマイクロカプセルが破裂するように、マイクロカプセル化された形態で提供され得る。発色剤及び顕色剤はいずれも、相互に分離されている限り、主として透明である。しかしながら、発色剤と顕色剤との接触により、圧力が印加された位置に対応して受容シート上に画像が生じる。そのような系は頻繁に使用されているが、主な欠点は、受容シート上の画像の強度及び／又は耐久性がいくつかの目的にとっては十分でないという点である。
【０００４】
そのようなCBシートの複写強度を改良するため、ドライ・カーボン印刷媒体（printing medium）の付加的な層（即ち、付加的な、前記のようなカーボン・ワックス・コーティング）が、特許文献1により提唱されている。このようなコーティングされたシートがCFシートと共に使用された場合に得られる複写は、従来のCBシートを用いた場合より太い。しかしながら、得られる転写は劣化しやすく、即ち、CFシート上の転写の耐久性は十分でない。
【０００５】
【非特許文献１】GB-A-2 197 668
【発明の開示】
【発明が解決しようとする課題】
【０００６】
従って、本発明の目的は、前記の先行技術の欠点を克服すること、特に、取り扱いが容易で清潔である、増強された転写の品質及び耐久性を有する複写シートを提供することである。
【課題を解決するための手段】
【０００７】
これらの目的は、独立請求項に記載の本発明に係る、複写シート、複写シートを作出するか又はその複写品質を増強する方法、複写シートを製造するための部材のキット、及び少なくとも一つの複写シートを含む複写キットにより解決される。
【０００８】
本発明に係る複写シートは、組み込まれた溶剤、特にマイクロカプセル化された溶剤、を有する第一層と、少なくとも一つの発色剤を含有している第二層とを含む。外的な作用又は効果により、該第一層の溶剤が該第二層の外的な作用又は効果が印加された位置に浸透し、それにより、第二層の少なくとも一つの該発色剤が該溶剤によって少なくとも部分的に放出され得る。好ましくは、該第一層は、一般的に既知のコーティング工程が適用され、該第二層は、好ましくは印刷工程、好ましくはオフセット印刷工程が適用される。
【０００９】
第二層の少なくとも一つの発色剤の溶剤による放出により、第二層の発色剤が受容シートに転移し、それにより印加された外的な効果に対応する画像が生じる。この基本原理によると、第一層は、例えば、組み込まれた溶剤、特にマイクロカプセル化された溶剤のみを含み、発色剤を含んでいなくてもよい。これは、第二層のみによる発色剤の適用の可変性の広さを許容する。さらに、この原理は、第二層が、例えばカーボン・ワックス・コーティングほど剥離に対して敏感ではないため、はるかに清潔な取り扱いが可能である。
【００１０】
又は、発色剤を含むインクへのマイクロカプセルの取り込みを可能にするような、マイクロカプセル及び／又は印刷工程、特にオフセット印刷工程を設定することは、特に好ましい。このように、二つの別々の層を適用する必要なしに、マイクロカプセル及び発色剤の両方のワンステップの適用が可能となる。
【００１１】
本発明に係る複写シートにおいては、〔１〕組み込まれた溶剤、特にマイクロカプセル化された溶剤（S）と、該溶剤（S）に可溶性の少なくとも一つの特にマイクロカプセル化された発色剤（4）を有する第一層（1）、および
少なくとも一つの発色剤（3）を含有している第二層（2）
を含む複写シート（CB）であって、
外的な作用又は効果、好ましくは圧力により、該第一層（1）の溶剤（S）が該第二層（2）の外的な作用又は効果が印加された位置に浸透し、それにより、第二層の少なくとも一つの発色剤（3）が該溶剤（S）によって少なくとも部分的に放出され得るよう配置された、複写シート（CB）であることを特徴とする。
【００１２】
本発明に係る複写シートにおいては、〔２〕第一層（1）の付加的な発色剤（4）と溶剤（S）が共マイクロカプセル化されている、上記〔１〕記載の複写シート（CB）であることを特徴とする。
【００１３】
本発明に係る複写シートにおいては、〔３〕感圧性である、上記〔１〕または〔２〕記載の複写シート（CB）であることを特徴とする。
【００１４】
本発明に係る複写シートにおいては、〔４〕第二層（2）が、印刷されたインクを含む、上記〔１〕〜〔３〕のいずれか一つ記載の複写シート（CB）であることを特徴とする。
【００１５】
本発明に係る複写シートにおいては、〔５〕インクが求核性である、上記〔４〕記載の複写シート（CB）であることを特徴とする。
【００１６】
本発明に係る複写シートにおいては、〔６〕印刷されたインクがカーボン染料を含む、上記〔４〕または〔５〕に記載の複写シート（CB）であることを特徴とする。
【００１７】
本発明に係る複写シートにおいては、〔７〕第一層（1）の少なくとも一つの発色剤（4）がロイコ染料である、上記〔１〕〜〔６〕のいずれか一つ記載の複写シート（CB）であることを特徴とする。
【００１８】
本発明に係る複写シートにおいては、〔８〕第一層（1）の溶剤（S）が、エチルジフェニルメタン、ベンジルキシレン、アルキルビフェニル系、ジアルキルフタレート系、アルキル化ナフタレン系、部分的に水素化されたテルフェニル系、高沸点の直鎖型又は分岐型の炭化水素、高分子量エステル、高分子量の分岐型又は直鎖型のアルコール、及びそれらの混合物からなる群より選択される、上記〔１〕〜〔７〕のいずれか一つ記載の複写シート（CB）であることを特徴とする。
【００１９】
本発明に係る複写シートにおいては、〔９〕第二層（2）が複写シート（CB）の異なる部分に異なる発色剤（3）を含む、上記〔１〕〜〔８〕のいずれか一つ記載の複写シート（CB）であることを特徴とする。
【００２０】
本発明に係る複写シートにおいては、〔１０〕第一層（1）の少なくとも一つの発色剤（4）及び／又は第二層（2）の発色剤（3）が、特に酸性の顕色剤（5）との接触により発色するよう選択される、上記〔１〕〜〔９〕のいずれか一つ記載の複写シート（CB）であることを特徴とする。
【００２１】
本発明に係る複写シートにおいては、〔１１〕顕色剤（5）が、酸性粘土、フェノール樹脂のような酸性樹脂もしくはサリチル酸亜鉛顕色剤のようなサリチル酸系顕色剤、ならびにそれらの誘導体及び塩及び混合物からなる群より選択される、上記〔１０〕記載の複写シート（CB）であることを特徴とする。
【００２２】
本発明に係る方法においては、〔１２〕特に上記〔１〕〜〔１１〕のいずれか一つ記載の複写シート（CB）を作出するか又はその複写品質を増強する方法であって、以下の工程を含む方法であることを特徴とする：
組み込まれた溶剤、特にマイクロカプセル化された溶剤（S）と、該溶剤（S）に可溶性の少なくとも一つの特にマイクロカプセル化された発色剤（4）を有する第一層（1）が少なくとも部分的に供給された、裏打ち材料（6）を提供する工程；および
該第一層（1）の該溶剤（S）によって少なくとも部分的に放出され得る少なくとも一つの発色剤（3）を含む第二層（2）を、該第一層（1）の上に少なくとも部分的に加える工程。
【００２３】
本発明に係る方法においては、〔１３〕発色剤（4）と溶剤（S）が共マイクロカプセル化されている、上記〔１２〕記載の方法であることを特徴とする。
【００２４】
本発明に係る方法においては、〔１４〕第二層（2）が、印刷工程、特にオフセット印刷工程で適用される、上記〔１２〕または〔１３〕に記載の方法であることを特徴とする。
【００２５】
本発明に係る方法においては、〔１５〕第二層（2）が、相互に分離された二つ以上の異なる発色剤（3）を含むよう適用される、上記〔１２〕〜〔１４〕のいずれか一つ記載の方法であることを特徴とする。
【００２６】
本発明に係るキットにおいては、〔１６〕特に上記〔１〕〜〔１１〕のいずれか一つ記載の複写シート（CB）の製造するための部材のキットであって、以下を含むキットであることを特徴とする：
組み込まれた溶剤、特にマイクロカプセル化された溶剤（S）と、該溶剤（S）に可溶性の少なくとも一つの特にマイクロカプセル化された発色剤（4）を含む、裏打ち層（6）の上に第一層（1）を加えるための、別々の又は予め混合された成分；および
第一層（1）に組み込まれた溶剤（S）によって少なくとも部分的に放出され得る少なくとも一つの発色剤（3）を含有している、該第一層（1）の上に第二層（2）を加えるための、別々の又は予め混合された成分。
【００２７】
本発明に係るキットにおいては、〔１７〕上記〔１〕〜〔１１〕のいずれか一つ記載の少なくとも一つの複写シート（CB）と、少なくとも一つの受容シート（CF）とを含む複写キットであって、該受容シート（CF）が、第一層（1）の少なくとも一つの発色剤（4）及び／又は第二層（2）の発色剤（3）の受容シート（CF）への転移により色を発生させる特に酸性の顕色剤（5）を含む、複写キットであることを特徴とする。
【発明の効果】
【００２８】
本発明により複写シート、及び複写シートを作出する方法およびその複写品質を増強する方法が提供された。
【発明を実施するための最良の形態】
【００２９】
本明細書において使用されるように、外的効果とは、好ましくは、特にタイプライター・キー又は鉛筆により印加される、圧力である。しかしながら、本発明の基本原理は、例えば熱のような他の様々な外的効果に適用可能である。本明細書において使用されるように、マイクロカプセル化は、例えば、例えば尿素−ホルムアルデヒド樹脂及び／又はメラミン−ホルムアルデヒド樹脂もしくはホルムアルデヒドゼラチンから作製された陰イオン性マイクロカプセルによって達成され；マイクロカプセル化の手法は、当業者に周知であり、例えば、米国特許第4,001,140号；米国特許第4,100,103号；米国特許第4,552,811号（参照として本明細書に組み込まれる）に開示されている。しかしながら、本発明は、当技術分野において既知の好ましくはマイクロカプセル化された溶剤（S）をベースとした従来の任意のカーボンレス複写シートを使用してもよいことが、当業者には明白である。
【００３０】
本発明のさらなる態様によると、複写シートの第一層は、第一層の溶剤に少なくとも部分的に可溶性の、最も好ましくは完全に可溶性の、少なくとも一つの付加的な、特にマイクロカプセル化された発色剤を含む。このような第一層の付加的な発色剤は、好ましくは、溶剤と共マイクロカプセル化される。しかしながら、溶剤及び発色剤の別々のマイクロカプセルを提供することも可能である。特に本発明のこの態様によると、複写シートの第一層は、従来のカーボンレス複写シート（例えば前記のようなロイコ染料を含む）で知られるものと同じであってもよい。溶剤は、第一層及び第二層の発色剤の両方が受容シートへ転移するのに十分な量が提供される。
【００３１】
第一層に組み込まれた好ましい溶剤及び／又は液体コア材料は、当業者に既知であり、特に、エチルジフェニルメタン、ベンジルキシレン、アルキルビフェニル系、ジアルキルフタレート系、アルキル化ナフタレン系、部分的に水素化されたテルフェニル系、高沸点の直鎖型又は分岐型の炭化水素、高分子量エステル、高分子量の分岐型又は直鎖型のアルコール、及びそれらの混合物からなる群より選択される。
【００３２】
本発明のこの態様によると、従来のカーボンレス複写シートの転写の強度及び耐久性の改良が達成され得る：第一層に組み込まれた溶剤によって第二層の発色剤が放出され、それにより、例えばロイコ染料を含む従来のカーボンレス複写シートで達成され得る、増強された強度の転写が得られる。
【００３３】
本発明のさらなる態様において、複写シートの第二層は印刷されたインク、例えば求核性のインク、を含む。このインクは、紙に吸収されるよう設定され、従って、複写シートの清潔な取り扱いを可能にする。好ましくは、インクは、溶剤の蒸発又は化学的架橋反応等によって著しく乾燥しない。インクは、第一層に組み込まれた溶剤と化学的に適合性である必要があり、即ち、特に第一層の付加的な発色剤の偶発的な発色が起こるべきではない。特に好ましいのは、米国特許第5,035,743号（参照として本明細書に組み込まれる）に開示されたような減感インクの使用である：そのようなインクの求核性は、一方で、付加的な発色剤、例えばロイコ染料が、偶発的に発色するのを防止し；従って、受容シートによって提供される特に酸性の顕色剤との接触によってのみ、発色が起こる。他方で、インクは、第一層の溶剤が第二層へ浸透することによる転写を増強するため、第二層から付加的な発色剤を遊離させるようなものが選択される。好ましくは、第二層の発色剤は、付加的な顕色剤とは無関係であり、従って、顕色剤を保持している受容シートの非存在下ですら転写のための手段を提供する；従って、従来の紙が、第二層の発色剤にのみ依存して転写を発生させるため使用されてもよい。
【００３４】
好ましくは、インクは、（一つ又は複数の）発色剤としてのカーボン・ブラック及び／又はその他の顔料、少なくとも一つの結合剤、並びに少なくとも一つの溶剤を含み；結合剤及び溶剤の両方の適応は、当業者のルーチンの実務の範囲内である。少なくとも一つの結合剤は、好ましくは、フェノール樹脂、マレイン酸樹脂、ロジン修飾樹脂（rosin modified resins）、アルキル化樹脂、ロジン・エステル樹脂等、又はそれらの混合物より選択される。少なくとも一つの溶剤は、好ましくは、鉱油、グリコール、植物油、アルコール等、又はそれらの混合物より選択される。
【００３５】
そのようなカーボン・ブラック（例えば、Regal 400R Carbon Black（Cabot）等）及びその他の顔料（例えば、DPP Rubine TR（Ciba）；Paliogen Blue L 6495F（BASF）；Heliogen Green L 9361（BASF）；Red HFG（Clariant）；Blue R 54（Clariant）等）は、様々な色が一般的に入手可能であり、微細分散した粒子としてインクに組み込まれ得る。特に好ましい態様によると、インクは、カーボン・ブラックを含む。顔料は、インクの他の要素の中に埋め込まれる。特別な適用のために、染料もインクに付加的に含有されるかもしれない。
【００３６】
特に有利な態様において、複写シートの第二層は、複写シートの異なる部分に異なる発色剤を含む。従って、得られる転写の異なる色を呈する区分を容易に達成することができ、それにより、特に転写用紙上の例えば明確な強調を容易にする。例えば、注文用紙又は配達用紙又は請求書における価格の転写が、印象的な色、例えば赤色で提供され得る。このような観点におけるさらなる適用は、当業者には明らかである。
【００３７】
第一層の少なくとも一つの発色剤（例えば、ロイコ染料）は、受容シートにより提供され得る特に酸性の顕色剤との接触により発色するようなものが選択されることが特に好ましい。さらに、第二層の発色剤も、特に酸性の顕色剤との接触によりその呈色がより強くなるようなものが選択されてもよいが、必ずしもそうでなくてもよい。特に、染料は、ｐＨに依って変色しやすいことが既知であり、従って、染料により媒介される色の発生又は増強は、特に酸性の顕色剤との接触によって達成することができる。
【００３８】
使用される典型的な顕色剤は、当業者の一般的な知識であり、好ましくは、酸性粘土、酸性樹脂（例えば、フェノール樹脂）、もしくはサリチル酸系顕色剤（例えば、サリチル酸亜鉛顕色剤）、ならびにそれらの誘導体及び塩及び混合物からなる群より選択される。
【００３９】
さらに、本発明は、
（a）特にマイクロカプセル化された溶剤が組み込まれた第一層が少なくとも部分的に供給された裏打ち材料を提供する工程、並びに
（b）第一層の該溶剤によって少なくとも部分的に放出され得る少なくとも一つの発色剤を含む第二層を、該第一層の上に少なくとも部分的に加える工程、
を含む、複写シートを作出するか又はその複写品質を増強する方法にも関する。
【００４０】
第一層は、第一層の該溶剤に少なくとも部分的に可溶性の少なくとも一つの付加的な、好ましくは共マイクロカプセル化された発色剤を含むことが、特に好ましい。
【００４１】
第二層は、好ましくは、印刷工程、特にオフセット印刷工程が適用される。オフセット印刷工程は、好ましくは約1〜3μmの、薄い層の厚さでの高品質な印刷を容易に可能にする。さらに、オフセット印刷は、特に商業用印刷において、最も広範で最も経済的なものであるため、好ましい。さらに、オフセット印刷工程において使用される典型的な溶剤は、顔料及び／又はカーボン・ブラック粒子のコーティングに使用される典型的な樹脂にとっても良好な溶剤である油である。
【００４２】
相互に分離された二つ以上の異なる発色剤を含むようなものを第二層が適用することは、例えば用紙等にとって特に有利である。互いに並んだ異なる第二層を適用することは、オフセット印刷のような一般的に使用される印刷工程において容易に達成され得る。
【００４３】
さらに、本発明は、
（a）組み込まれた溶剤、特にマイクロカプセル化された溶剤を含む、第一層を裏打ち層の上に加えるための別々の又は予め混合された成分；
（b）第一層に組み込まれた溶剤によって少なくとも部分的に放出され得る少なくとも一つの発色剤を含有している第二層を、該第一層に加えるための別々の又は予め混合された成分
を含む、複写シートを製造するための部材のキットを提供する。
【００４４】
本発明のもう一つの局面は、前記のような本発明に係る少なくとも一つの複写シートと、少なくとも一つの受容シートとを含む複写キットであって、ここにおいてこの受容シートは、第一層の少なくとも一つの該発色剤及び／又は第二層の該発色剤の受容シートへの転移により色を発生させる特に酸性の顕色剤を含む。
【００４５】
図１に示された本発明の好ましい態様によると、複写シートCBは、裏打ち材料（例えば、紙）と、好ましくはマイクロカプセル化された溶剤Sを含む第一層1と、少なくとも一つの発色剤3を含有している第二層2とを含む。第二層2は、第一層1の上に少なくとも部分的に加えられている。
【００４６】
本発明の態様によると、第一層及び第二層の組成は、以下の通りである。
【００４７】
第一層を含む裏打ち材料には、Idem（ArgoWiggins）のような従来のカーボンレス複写シートが使用され得る。
【００４８】
好ましくはオフセット印刷工程で適用される第二層は、例えば、以下のものを含む。
20重量％：カーボン・ブラック（又は顔料）
23重量％：ブレマパール（Bremapal）3000
（フェノール樹脂、結合剤；Robert Kraemer GmbH＆Co）
42重量％：アミンポリマー（Amine Polymer）2420
（Sensient；参照により本明細書に組み込まれる米国特許第5,035,743号の実施例1及び2に記載の求核性化合物）
8重量％：炭酸カルシウム（随意的な顔料）
7重量％：ポリプロピレン・グリコール（溶剤、粘性調節剤；適当な分子量の範囲は、他の要素及び想定される適用に依って選択される）
【００４９】
対応する受容シートCFは、裏打ち材料6、例えば、紙と、特に酸性の顕色剤を含む層5とを含む。
【００５０】
使用において、複写シートCB及び受容シートCFは、複写シートCB及び受容シートCFの両方の裏打ち材料6が、外側を向くよう配置される。外的な作用又は効果、好ましくは圧力が、タイプライター・ヘッド又は鉛筆により、複写シートCBの裏打ち材料6に印加されることにより、第一層1のマイクロカプセル化された溶剤Sが、マイクロカプセルの破裂により、圧力が印加された場所に部分的に放出される。放出された溶剤Sは、第二層2へと局所的に浸透し、それにより、第二層2から発色剤3が放出される。第二層2の発色剤3は、受容シートCF上の特に酸性の顕色剤5との接触により、印加された圧力に対応する画像を発生する。複写シートの第二層2が添加されている区分Bに圧力が印加された場合には、受容シート上に画像が生じる。対照的に、第二層2が複写シートCBに適用されていない区分Aにおいては、受容シートCF上に画像が生じない。
【００５１】
もう一つの特に好ましい態様において、第一層は発色剤4、例えばロイコ染料、も付加的に含む。この付加的な発色剤の他は、第一層の組成は、前述と同様のままである。ここで、複写シートの区分Aに圧力が印加された場合には、第一層1の発色剤4が顕色剤5と接触することによってのみ、受容シートCB上に画像が生じる。しかしながら、付加的な第二層が複写シートCBに適用されている複写シートCBの区分Bに圧力が印加された場合には、受容シート上により強い画像が生じる：第一層1に組み込まれた溶剤Sが、第二層から発色剤3を放出させ、第二層の発色剤3及び第一層の発色剤4の両方が、顕色剤との接触により画像を形成する。従って、第二層は、画像増強層として機能する。
【００５２】
例えば強調等の特別なニーズのために、複写シートCBの異なるセクションに異なる第二層2が適用されてもよい。このように、画像の特別な呈色が、第二層2のみの発色剤3のバリエーションによって容易に達成され得る。
【図面の簡単な説明】
【００５３】
【図１】一般的な作業原理を示す図である。
【符号の説明】
【００５４】
1：第一層  2：第二層  3：発色剤  4：発色剤  5：顕色剤  6：裏打ち材料
【図１】
2005231369.tif 000003